(57)【要約】【課題】演出ボタン操作以外の新たな遊技者参加態様を実現することにより、遊技者の遊技への積極的な参加を促す。【解決手段】始動口１４に対する遊技球の入賞に応じて特別図柄抽選を行い、該特別図柄抽選に係る特別図柄を特別図柄表示装置１８に変動及び停止表示させる主制御基板２３と、該主制御基板２３から送信される変動パターンに基づいて、特別図柄抽選に係る演出図柄を演出図柄表示装置１９に変動及び停止表示させる演出図柄表示制御基板２６とを備えるパチンコ遊技機１において、演出図柄表示装置１９は、視野角を広視野角と狭視野角とに切り換え可能なものであり、演出図柄表示制御基板２６は、主制御基板２３から送信される変動パターンに基づいて、演出図柄表示装置１９の視野角を切り換える。【選択図】図８
2008023209.tif 000002
【特許請求の範囲】
【請求項１】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させる演出図柄表示制御部と、を備える遊技機において、
前記演出図柄表示装置は、視野角を広視野角と狭視野角とに切り換え可能なものであり、
前記演出図柄表示制御部は、前記主制御部から送信される変動パターンに基づいて、前記演出図柄表示装置の視野角を切り換えることを特徴とする遊技機。
【請求項２】
前記始動口には、所定条件が成立した場合に前記始動口の入口の大きさを拡大させる開放動作を行う普通電動役物が設けられており、
前記主制御部には、特別図柄抽選に用いる当選確率の高低と、普通電動役物の開放動作時間の長短と、を含む複数の所定事項の組み合わせからなる遊技制御条件が複数記憶されており、
前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含み、
前記演出図柄表示制御部は、隠れ確率変動状態において前記主制御部から送信される変動パターンに基づいて、前記演出図柄表示装置の視野角を切り換えることを特徴とする請求項１記載の遊技機。
【請求項３】
前記主制御部は、前記始動口の入賞により得られる特別図柄抽選の権利を、所定数を上限として記憶保留するようになっており、該記憶保留の数が特定の数となっているときだけ、変動パターンにおいて前記演出図柄表示装置の視野角の切り換えを指定することを特徴とする請求項１又は２記載の遊技機。
【請求項４】
前記演出図柄表示制御部は、特別図柄抽選の抽選結果が大当りのときに前記主制御部から送信される変動パターンに基づいて、前記演出図柄表示装置の視野角を切り換えることを特徴とする請求項１記載の遊技機。
【請求項５】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させると共に、前記主制御部から送信されるデモ画面表示コマンドに基づいて、デモ画面を前記演出図柄表示装置に表示させる演出図柄表示制御部と、を備える遊技機において、
前記演出図柄表示装置は、視野角を広視野角と狭視野角とに切り換え可能なものであり、
前記演出図柄表示制御部は、前記主制御部から送信されるデモ画面表示コマンドに基づいて、前記演出図柄表示装置の視野角を切り換えることを特徴とする遊技機。
【請求項６】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させると共に、前記主制御部から送信される背景画像指定コマンドに基づいて、指定された背景画像を前記演出図柄表示装置に表示させる演出図柄表示制御部と、を備える遊技機において、
前記演出図柄表示装置は、視野角を広視野角と狭視野角とに切り換え可能なものであり、
前記演出図柄表示制御部は、前記主制御部から送信される背景画像指定コマンドに基づいて、前記演出図柄表示装置の視野角を切り換えることを特徴とする遊技機。
【発明の詳細な説明】
【技術分野】
【０００１】
本発明は、パチンコ遊技機などの遊技機に関し、特に、演出ボタン操作以外の新たな遊技者参加態様を実現できる遊技機に関する。
【背景技術】
【０００２】
従来から遊技者参加型と称される遊技機が開発されている。例えば、特許文献１には、遊技者に所定の操作を行わせることにより、該操作を行わない場合では発生しないリーチ演出などを発生させるという遊技者参加型のパチンコ遊技機が開示されている。この種のパチンコ遊技機では、上皿などに遊技者が操作可能な演出ボタンを設け、該演出ボタンに内装されたランプの点灯や、液晶画面（演出図柄表示装置）の表示により、演出ボタンの操作を要求し、この要求に応じて演出ボタンが操作されたら、演出ボタンの操作に連動した演出表示などを行うようになっている。
【特許文献１】特開２００４−３２９２６２号公報
【発明の開示】
【発明が解決しようとする課題】
【０００３】
しかしながら、従来の遊技者参加型の遊技機では、遊技者の参加態様がボタン操作に限られ、参加態様にバリエーションがないため、その演出に飽きると、ボタン演出に対する参加率が低下してしまうという問題があった。
したがって、本発明は、演出ボタン操作以外の新たな遊技者参加態様を実現することにより、遊技者の遊技への積極的な参加を促すことができる遊技機の提供を目的とする。
【課題を解決するための手段】
【０００４】
本発明は、上記の如き実情に鑑みこれらの課題を解決することを目的として創作されたものであって、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させる演出図柄表示制御部と、を備える遊技機において、前記演出図柄表示装置は、視野角を広視野角と狭視野角とに切り換え可能なものであり、前記演出図柄表示制御部は、前記主制御部から送信される変動パターンに基づいて、前記演出図柄表示装置の視野角を切り換えることを特徴とする。
このようにすると、遊技者に演出図柄表示装置を斜めから覗かせるという新たな参加態様を実現することができる。すなわち、特別図柄抽選の抽選結果など、遊技者にとって興味のある情報が含まれる変動パターンに応じて、演出図柄表示装置の視野角が切り換えられるので、遊技者は、演出図柄表示装置を斜めから覗くという行為により、演出図柄表示装置の視野角を確認することになる。これにより、遊技者参加型の遊技機において、遊技者の参加態様に新たなバリエーションを加え、遊技者の遊技への積極的な参加を促すことができる。
また、前記始動口には、所定条件が成立した場合に前記始動口の入口の大きさを拡大させる開放動作を行う普通電動役物が設けられており、前記主制御部には、特別図柄抽選に用いる当選確率の高低と、普通電動役物の開放動作時間の長短と、を含む複数の所定事項の組み合わせからなる遊技制御条件が複数記憶されており、前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含み、前記演出図柄表示制御部は、隠れ確率変動状態において前記主制御部から送信される変動パターンに基づいて、前記演出図柄表示装置の視野角を切り換えることを特徴とする。
このようにすると、隠れ確率変動状態であるか否かに応じて、演出図柄表示装置の視野角が切り換えられるので、演出図柄表示装置を斜めから覗くという新たな遊技者参加態様への参加率を高めることができる。
また、前記主制御部は、前記始動口の入賞により得られる特別図柄抽選の権利を、所定数を上限として記憶保留するようになっており、該記憶保留の数が特定の数となっているときだけ、変動パターンにおいて前記演出図柄表示装置の視野角の切り換えを指定することを特徴とする。
このようにすると、記憶保留の数が特定の数となっているときだけ、視野角の切り換えが行われるので、遊技者参加型の遊技機に攻略的な遊技要素を加味することができる。また、このようにすると、遊技をしていない者に対して、視野角の切り換えによる告知を行わないようにすることができるので、ホールの利益率を低下させることがない仕様とできる。
また、前記演出図柄表示制御部は、特別図柄抽選の抽選結果が大当りのときに前記主制御部から送信される変動パターンに基づいて、前記演出図柄表示装置の視野角を切り換えることを特徴とする。
このようにすると、大当り予告として演出図柄表示装置の視野角が切り換えられるので、演出図柄表示装置を斜めから覗くという新たな遊技者参加態様への参加率を高めることができる。
また、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させると共に、前記主制御部から送信されるデモ画面表示コマンドに基づいて、デモ画面を前記演出図柄表示装置に表示させる演出図柄表示制御部と、を備える遊技機において、前記演出図柄表示装置は、視野角を広視野角と狭視野角とに切り換え可能なものであり、前記演出図柄表示制御部は、前記主制御部から送信されるデモ画面表示コマンドに基づいて、前記演出図柄表示装置の視野角を切り換えることを特徴とする。
このようにしても、遊技者に演出図柄表示装置を斜めから覗かせるという新たな参加態様を実現することができる。例えば、隠れ確率変動状態におけるデモ画面表示コマンドで視野角の切り換えを指示するようにすれば、隠れ確率変動状態であるか否かに応じて、演出図柄表示装置の視野角が切り換えられるので、演出図柄表示装置を斜めから覗くという新たな遊技者参加態様への参加率を高めることができる。
また、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させると共に、前記主制御部から送信される背景画像指定コマンドに基づいて、指定された背景画像を前記演出図柄表示装置に表示させる演出図柄表示制御部と、を備える遊技機において、前記演出図柄表示装置は、視野角を広視野角と狭視野角とに切り換え可能なものであり、前記演出図柄表示制御部は、前記主制御部から送信される背景画像指定コマンドに基づいて、前記演出図柄表示装置の視野角を切り換えることを特徴とする。
このようにしても、遊技者に演出図柄表示装置を斜めから覗かせるという新たな参加態様を実現することができる。例えば、隠れ確率変動当りの直後に送信される背景画像指定コマンドで視野角の切り換えを指示するようにすれば、隠れ確率変動状態であるか否かに応じて、演出図柄表示装置の視野角が切り換えられるので、演出図柄表示装置を斜めから覗くという新たな遊技者参加態様への参加率を高めることができる。
【発明の効果】
【０００５】
以上のような構成によれば、遊技者に演出図柄表示装置を斜めから覗かせるという新たな参加態様を実現することができる。すなわち、特別図柄抽選の抽選結果など、遊技者にとって興味のある情報が含まれる変動パターンに応じて、演出図柄表示装置の視野角が切り換えられるので、遊技者は、演出図柄表示装置を斜めから覗くという行為により、演出図柄表示装置の視野角を確認することになる。これにより、遊技者参加型の遊技機において、遊技者の参加態様に新たなバリエーションを加え、遊技者の遊技への積極的な参加を促すことができる。
【発明を実施するための最良の形態】
【０００６】
［パチンコ遊技機の全体構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００７】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出スイッチ（演出ボタン）Ｓとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【０００８】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、遊技中は、演出図柄変動表示の他、リーチ演出表示、スーパーリーチ演出表示、大当り演出表示などを行い、また、非遊技中は、デモ画面表示などを行う。
【０００９】
図４に示すように、本発明に係るパチンコ遊技機１の演出図柄表示装置１９としては、視野角を広視野角と狭視野角とに切り換え可能な表示デバイスが用いられる。例えば、メイン液晶パネルの前面にスイッチ液晶パネルを重合状に配置した液晶パネルや、特開２００５−２７４７７７号公報に示される液晶パネルを適用することができる。ちなみに、スイッチ液晶パネルは、その液晶分子の複屈曲を応用してバックライトの光を透過／遮蔽制御するものであり、正面方向への光はそのまま透過させ、左右方向への光は、そのＯＦＦ／ＯＮに応じて、透過／遮蔽させることにより、メイン液晶パネルの視野角を広視野角と狭視野角とに切り換えることができる。
【００１０】
［パチンコ遊技機の基本動作］
上記のように構成されるパチンコ遊技機１において、上皿６に遊技球が溜った状態で発射ハンドル８を回し操作すると、遊技盤４に向けて遊技球が発射される。発射された遊技球が始動口１４や大入賞口１５に入賞した場合は、所定個数の遊技球が賞球として払い出される。例えば、始動口１４への入賞時は７個、大入賞口１５への入賞時は１４個の賞球が払い出される。
【００１１】
発射された遊技球がゲートを通過したときは、所定の当選確率（例えば、１／２）で普通図柄抽選が行われ、該普通図柄抽選が行われてから規定時間の経過後に、その結果が普通図柄表示装置２０に表示される。そして、普通図柄抽選に当選した場合は、規定時間の経過後に普通電動役物１４ａが所定時間（例えば、４秒）に亘って開放動作され、始動口１４への入賞が容易になる。すなわち、始動口１４には、所定条件が成立した場合に始動口１４の入口の大きさを拡大させる開放動作を行う普通電動役物１４ａが設けられている。
なお、前記規定時間の消化中においては、ゲートの通過により得られる普通図柄抽選の権利、つまり普通図柄抽選に用いる数値データ（カウンタ値又は乱数値）を、所定数（例えば、４）を上限として記憶保留することができる。
【００１２】
発射された遊技球が始動口１４に入賞したときは、所定の当選確率（例えば、低確率時＝１／３００、高確率時＝１／３０）で特別図柄抽選が行われると共に、その結果が特別図柄表示装置１８及び演出図柄表示装置１９に表示される。特別図柄抽選に当選した場合は、特別図柄（演出図柄）の変動表示後に大当りモードが出現し、遊技者は多くの賞球を獲得することが可能になる。つまり、大当りモード中は、特別電動役物１５ａが開放動作され、大入賞口１５への入賞が可能になる。そして、大入賞口１５に対する遊技球の所定個数（例えば、９個）の入賞、又は所定時間（例えば、３０秒）の経過を条件とする特別電動役物１５ａの閉塞動作までを１ラウンドとして、この１ラウンドの動作を複数回（例えば、１５ラウンド）に亘って繰り返すようになっている。なお、特別図柄変動中においては、始動口１４の入賞により得られる特別図柄抽選の権利、つまり特別図柄抽選に用いる数値データ（カウンタ値又は乱数値）を、所定数（例えば、４）を上限として記憶保留することができ、その記憶保留数は、記憶保留数表示部Ｍに表示されるようになっている。
【００１３】
特別図柄抽選に用いる二段階の抽選確率（低確率、高確率）や、普通電動役物１４ａの開放動作時間（長い、短い）は、滞在する遊技モードに応じて使い分けされる。言い換えれば、パチンコ遊技機１には、特別図柄抽選に用いる当選確率の高低と、普通電動役物１４ａの開放動作時間の長短と、を含む複数の所定事項の組み合わせからなる遊技制御条件が複数記憶されており、これらの遊技制御条件に基づいて複数の遊技状態が出現される。例えば、通常遊技モード（通常遊技状態）では、特別図柄抽選に用いる抽選確率が低確率で普通電動役物１４ａの開放動作時間が短い事項が適用されるものであり、時間短縮モードでは、特別図柄抽選に用いる抽選確率が低確率で普通電動役物１４ａの開放動作時間が長い事項が適用されるものである。また、特別図柄抽選に用いる抽選確率が高確率である確率変動モード（確率変動状態）としては、通常確率変動モードと隠れ確率変動モード（隠れ確率変動状態）とがある。通常確率変動モードでは、普通図柄抽選の抽選サイクルを短くしたり、普通図柄抽選の抽選確率を高くし、普通電動役物１４ａの開放時間を通常遊技モードに比べて長くすることにより、遊技者は、通常確率変動モードに滞在していることを容易に認識できるモードとなっている。一方、隠れ確率変動モードでは、特別図柄抽選に用いる抽選確率、普通図柄抽選の抽選サイクル、普通図柄抽選の抽選確率、普通電動役物１４ａの開放時間という４つの事項のうち、普通図柄抽選の抽選サイクル、普通図柄抽選の抽選確率、普通電動役物１４ａの開放時間が通常遊技モードと同じであり、遊技者は、現在の滞在モードが隠れ確率変動モードであるか通常遊技モードであるかを容易に識別することは困難となっている。
【００１４】
［パチンコ遊技機の基板構成］
次に、パチンコ遊技機１の基板構成について、図５を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板（主制御部）２３、払出制御基板２４及び発射モータ制御基板２５を含んでおり、周辺基板２２は、演出図柄表示制御基板（演出図柄表示制御部）２６、音声制御基板２７及びランプ制御基板２８を含んでいる。
【００１５】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１６】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理（演出図柄抽選を含む）、特別図柄表示処理、普通図柄抽選処理、普通図柄表示処理、コマンド送信処理、特別電動役物動作処理、普通電動役物動作処理などを行う。つまり、前述した遊技制御条件は、主制御基板２３に記憶されており、主制御基板２３が遊技制御条件を変更することにより、複数の遊技モード（遊技状態）を出現させることが可能になる。
【００１７】
演出図柄表示制御基板２６には、演出図柄表示装置１９や演出スイッチＳが接続されており、主に、主制御基板２３からのコマンドに応じて、演出図柄表示装置１９に演出図柄を変動表示させる。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１８】
［演出図柄表示制御及び視野角切り換え制御］
次に、演出図柄表示装置１９の演出図柄表示制御及び視野角切り換え制御について、図６以降を参照して詳細に説明する。主制御基板２３は、始動口１４に対する遊技球の入賞に応じて特別図柄抽選（演出抽選を含む）を行うと共に、その抽選結果を停止図柄コマンド及び変動パターンとして演出図柄表示基板２６へ送信し、変動パターンの変動時間をカウントダウンする。
図６に示すように、停止図柄コマンドは、最終的に停止表示する演出図柄を指示するコマンドであり、例えば、演出図柄の表示桁数が３桁である場合、３桁の停止図柄を指示することができる。ただし、特別図柄抽選の結果がハズレの場合、主制御基板２３は停止図柄コマンドとして停止図柄の指示を省略した旨を演出図柄表示制御基板２６に送信し、この停止図柄コマンドに基づいて演出図柄表示制御基板２６がハズレとなるような３桁の停止図柄を作成するようにしてもよい。
また、変動パターンは、演出内容を指示するコマンドであり、例えば、特別図柄抽選結果（当り又はハズレ）、再抽選演出の有無、演出の種類（リーチの有無など）、変動時間、滞在遊技モード情報などが含まれる。
【００１９】
演出図柄表示制御基板２６は、停止図柄コマンド及び変動パターンを受信したら、停止図柄コマンド及び変動パターンを記憶すると共に、変動パターンにて指示された演出表示（演出図柄変動表示など）を行う。例えば、図６の変動パターン４（再抽選ありの当り変動パターン）を受信した場合は、図７に示すように、まず、３桁の図柄を変動表示した後、左右図柄が同じ図柄で停止するリーチ状態を出現させる（第１状態）。次に、３桁の図柄が同じ図柄で停止するぞろ目状態を出現させた後（第２状態）、ぞろ目状態のまま３桁の図柄が同期変動する再抽選状態を出現させる（第３状態）。そして、３桁の図柄を停止図柄コマンドで指定された図柄で停止させると共に、主制御基板２３から確定コマンドを受信した段階で停止図柄を確定させる（第４状態）。
【００２０】
ここで、本実施形態の演出図柄表示制御基板２６は、主制御基板２３から送信される変動パターンに基づいて、演出図柄表示装置１９の視野角を切り換えることにより、遊技者に演出図柄表示装置１９を斜めから覗かせるという新たな参加態様を実現させる。すなわち、特別図柄抽選の抽選結果など、遊技者にとって興味のある情報が含まれる変動パターンに応じて、演出図柄表示装置１９の視野角を切り換えるので、遊技者は、演出図柄表示装置１９を斜めから覗くという行為により、演出図柄表示装置１９の視野角が広視野角、狭視野角のいずれであるかを確認することになる。これにより、遊技者参加型のパチンコ遊技機１において、遊技者の参加態様に新たなバリエーションを加え、遊技者の遊技への積極的な参加を促すことができる。
【００２１】
図８は、本実施形態における変動パターンと演出図柄表示装置１９の視野角との関係を示している。この図に示すように、本実施形態の演出図柄表示制御基板２６は、隠れ確率変動モードにおいて主制御基板２３から送信される変動パターンに基づいて、演出図柄表示装置１９の視野角を広視野角に切り換えるようになっている。このようにすると、隠れ確率変動モードであるか否かに応じて、演出図柄表示装置１９の視野角が切り換えられるので、演出図柄表示装置１９を斜めから覗くという新たな遊技者参加態様への参加率を高めることができる。
【００２２】
また、本実施形態では、隠れ確率変動モードであるか否かに応じて、演出図柄表示装置１９の視野角を切り換えるにあたり、特別図柄抽選に係る記憶保留の数が特定の数となっているときだけ、変動パターンにおいて演出図柄表示装置１９の視野角の切り換えを指定するようになっている。例えば、隠れ確率変動モードであっても、記憶保留の数が「０」以外の場合は、演出図柄表示装置１９の視野角を狭視野角とし、隠れ確率変動モードの告知を行わない。このようにすると、視野角の切り換えが行われる条件を複雑にし、遊技者参加型のパチンコ遊技機１に攻略的な遊技要素を加味することができる。また、このようにすると、遊技をしていない者に対して、視野角の切り換えによる告知を行わないようにすることができるので、ホールの利益率を低下させることがない仕様とできる。
【００２３】
また、本実施形態の演出図柄表示制御基板２６は、特別図柄抽選の抽選結果が大当りのときに主制御基板２３から送信される変動パターンに基づいて、演出図柄表示装置１９の視野角を広視野角に切り換えるようになっている。このようにすると、大当り予告として演出図柄表示装置１９の視野角が切り換えられるので、演出図柄表示装置１９を斜めから覗くという新たな遊技者参加態様への参加率をより高めることができる。
【００２４】
［他の実施形態］
本発明は、上記の実施形態に限定されないことは勿論であって、主制御基板２３から送信される変動パターン以外のコマンドに基づいて、演出図柄表示装置１９の視野角を切り換えるようにしてもよい。例えば、主制御基板２３から送信されるデモ画面表示コマンドや背景画像指定コマンドに基づいて、演出図柄表示装置１９の視野角を切り換えることができる。そして、このようにした場合であっても、遊技者に演出図柄表示装置１９を斜めから覗かせるという新たな参加態様を実現することができる。つまり、隠れ確率変動モードにおけるデモ画面表示コマンドや背景画像指定コマンドで視野角の切り換えを指示するようにすれば、隠れ確率変動状態であるか否かに応じて、演出図柄表示装置１９の視野角が切り換えられるので、演出図柄表示装置１９を斜めから覗くという新たな遊技者参加態様への参加率を高めることができる。
【００２５】
なお、デモ画面表示コマンドは、特別図柄抽選に係る記憶保留の数が「０」で、かつ、特別図柄が停止した状態が規定時間に亘って続いた場合、主制御基板２３から演出図柄表示制御基板２６に送信されるコマンドであり、これを受信した演出図柄表示制御基板２６は、予め決められているデモ画面を演出図柄表示装置１９に表示させるようになっている。
また、背景画像指定コマンドは、滞在遊技モードが変化した場合や、所定の演出抽選に当選した場合に、主制御基板２３から演出図柄表示制御基板２６に送信されるコマンドであり、これを受信した演出図柄表示制御基板２６は、指定された背景画像を演出図柄表示装置１９に表示させるようになっている。
【００２６】
デモ画面表示コマンドや背景画像指定コマンドに基づいて、演出図柄表示装置１９の視野角を切り換える場合、これらのコマンドを受信した演出図柄表示制御基板２６は、コマンド受信直後に演出図柄表示装置１９の視野角を切り換えてもよいが、これらの受信コマンドを記憶しておき、その後、任意のタイミングで演出図柄表示装置１９の視野角を切り換えてもよい。例えば、隠れ確率変動用の背景画像指定コマンドを受信した後、特別図柄抽選毎に所定の演出抽選（告知の有無を決める抽選）を行い、この抽選に当選したときのみ、演出図柄表示装置１９の視野角を切り換えるようにすることができる。
【図面の簡単な説明】
【００２７】
【図１】パチンコ遊技機の正面図である。
【図２】パチンコ遊技機の背面図である。
【図３】遊技盤の正面図である。
【図４】（Ａ）は演出図柄表示装置の広視野角状態を示す説明図、（Ｂ）は演出図柄表示装置の狭視野角状態を示す説明図である。
【図５】パチンコ遊技機の基板構成を示すブロック図である。
【図６】変動パターン及び停止図柄コマンドの説明図である。
【図７】変動パターンに応じた演出図柄の表示例を示す説明図である。
【図８】変動パターンと演出図柄表示装置の視野角との関係を示す説明図である。
【符号の説明】
【００２８】
１    パチンコ遊技機
４    遊技盤
１４  始動口
１８  特別図柄表示装置
１９  演出図柄表示装置
２３  主制御基板
２６  演出図柄表示制御基板
【図１】
2008023209.tif 000003
【図２】
2008023209.tif 000004
【図３】
2008023209.tif 000005
【図４】
2008023209.tif 000006
【図５】
2008023209.tif 000007
【図６】
2008023209.tif 000008
【図７】
2008023209.tif 000009
【図８】
2008023209.tif 000010